(57)【要約】  ＳＤＭＡトレーニング・シーケンスを開始するとき、基地局は同じマルチキャスト・トレーニング・ポーリングで複数のモバイル装置をポーリングし、そのポーリングされた移動局は、各移動局に割り当てられた遅延期間に基づいた異なる時に別々に応答する。
2007502074.tif 000002
【特許請求の範囲】
【請求項１】
第１電子装置を含む装置において、前記第１電子装置は、
第２電子装置の第１アドレスおよび前記第２電子装置が第１トレーニング応答を送信する前に待機する時間を示す第１時間遅延インディケータと、
第３電子装置の第２アドレスおよび前記第３電子装置が第２トレーニング応答を送信する前に待機する時間を示す第２時間遅延インディケータと、
を含むマルチキャスト・ポーリングをワイヤレスに送信するために適合していることを特徴とする装置。
【請求項２】
前記第１および第２トレーニング応答は、空間分割多重接続動作のためのパラメータを決定するために使用できることを特徴とする請求項１記載の装置。
【請求項３】
前記第１電子装置は、前記第１および第２アドレスを前記ポーリング・グループに割り当てることによってポーリング・グループを形成するためにさらに適合していることを特徴とする請求項１記載の装置。
【請求項４】
前記第１時間遅延インディケータによって示される時間遅延と、前記第２時間遅延インディケータによって示される時間遅延との間の差は、前記第２電子装置が前記第１トレーニング応答を送信する時間と少なくとも同じくらいであることを特徴とする請求項１記載の装置。
【請求項５】
前記第１電子装置は、トレーニング・フェーズの終了前に前記第２トレーニング応答を受信しないことに応答して、他のトレーニング・ポーリングに前記第２アドレスを配置するためにさらに適合している請求項１記載の装置。
【請求項６】
コンピューティング・プラットフォームと、
前記コンピューティング・プラットフォームに結合された少なくとも４本のアンテナと、
を含むことを特徴とする請求項１記載の装置。
【請求項７】
少なくとも４台の変復調装置であって、前記変復調装置の各々は前記コンピューティング・プラットフォームと前記アンテナの少なくとも１つと間に結合される、少なくとも４台の変復調装置をさらに含むことを特徴とする請求項６記載の装置。
【請求項８】
電子装置を含む装置において、前記電子装置は、
前記電子装置に関連する特定のアドレスを含む複数のアドレスを備えるポーリングを受信し、
前記特定のアドレスに関連する時間遅延の満了に続いて前記ポーリングに対する応答をワイヤレスに送信する、
ために適合する装置。
【請求項９】
前記応答は、空間分割多重接続動作のためのパラメータを決定するために使用されるトレーニング応答であることを特徴とする請求項８記載の装置。
【請求項１０】
前記ポーリングは、前記時間遅延を示すタイミング・インディケータを含むことを特徴とする請求項８記載の装置。
【請求項１１】
前記電子装置は、前記タイミング・インディケータから前記時間遅延を決定するためにさらに適合していることを特徴とする請求項１０記載の装置。
【請求項１２】
前記タイミング・インディケータは、ランク付けであることを特徴とする請求項１１記載の装置。
【請求項１３】
前記タイミング・インディケータは、時間の単位の表現であることを特徴とする請求項１０記載の装置。
【請求項１４】
コンピューティング・プラットフォームと、
前記コンピューティング・プラットフォームに結合されたアンテナと、
を含むことを特徴とする請求項８記載の装置。
【請求項１５】
前記アンテナに結合された変復調装置と、
前記変復調装置と前記コンピューティング・プラットフォームとの間に結合されたアナログ・デジタル変換器と、
前記変復調装置と前記コンピューティング・プラットフォームとの間に結合されたデジタル・アナロク変換器と、
をさらに含むことを特徴とする請求項１４記載の装置。
【請求項１６】
マルチキャスト・ポーリングを複数の電子装置へ送信する段階と、
前記複数の電子装置の各々からの応答を受信する段階であって、前記応答の各々は異なる時に受信される、段階と、
を含むことを特徴とする方法。
【請求項１７】
前記受信する段階は、空間分割多重接続動作のためのパラメータを決定するためのトレーニング応答を受信する段階を含むことを特徴とする請求項１６記載の方法。
【請求項１８】
前記送信する段階に先立って前記マルチキャスト・ポーリングのためのポーリング・グループを決定する段階であって、前記ポーリング・グループは前記複数の電子装置に関する情報を識別することを示す、段階をさらに含むことを特徴とする請求項１６記載の方法。
【請求項１９】
前記複数の電子装置の少なくとも１つにタイミング・インディケータを送信する段階をさらに含み、前記タイミング・インディケータは、前記応答のうちの１つを送信する前に待機するために、前記複数の電子装置の前記少なくとも１つのための時間遅延を示すことを特徴とする請求項１６記載の方法。
【請求項２０】
特定の識別子を含むマルチキャスト・ポーリングを受信する段階と、
前記特定の識別子に関連する特定の時間遅延の後に前記マルチキャスト・ポーリングに対する応答を送信する段階と、
含むことを特徴とする方法。
【請求項２１】
前記送信する段階は、空間分割多重接続動作のためのパラメータを決定するための応答を送信する段階を含むことを特徴とする請求項２０記載の方法。
【請求項２２】
前記受信する段階は、
タイミング・インディケータを受信する段階と、
前記タイミング・インディケータから前記特定の時間遅延を決定する段階と、
を含むことを特徴とする請求項２０記載の方法。
【請求項２３】
命令を提供する機械読取り可能な媒体であって、処理プラットフォームによって実行される場合、前記処理プラットフォームは、
複数の電子装置にマルチキャスト・ポーリングを送信し、
前記複数の電子装置の各々から応答を受信し、前記応答の各々は異なる時に受信される、
ことを特徴とする機械読取り可能な媒体。
【請求項２４】
前記受信する動作は、空間分割多重接続動作のためのパラメータを決定するトレーニング応答を受信する動作を含むことを特徴とする請求項２３記載の媒体。
【請求項２５】
前記動作は、前記マルチキャスト・ポーリングのためのポーリング・グループを決定する動作をさらに含み、前記ポーリング・グループは前記複数の電子装置の各々に関する情報を識別することを示すことを特徴とする請求項２３記載の媒体。
【請求項２６】
前記動作は、前記複数の電子装置の特定の１つにタイミング・インディケータを送信する動作をさらに含み、前記タイミング・インディケータは、前記応答の特定の１つを送信する前に待機するために、前記特定の電子装置のための時間遅延を示すことを特徴とする請求項２３記載の媒体。
【請求項２７】
命令を提供する機械読取り可能な媒体であって、処理プラットフォームによって実行される場合、前記処理プラットフォームは、
特定の識別子を含むマルチキャスト・ポーリングを受信し、
前記特定の識別子に関連する特定の時間遅延の後に前記マルチキャスト・ポーリングに対する応答を送信する、
ことを特徴とする機械読取り可能な媒体。
【請求項２８】
前記送信する動作は、空間分割多重接続動作のためのパラメータを決定するための応答を送信する動作を含むことを特徴とする請求項２７記載の媒体。
【請求項２９】
タイミング・インディケータを受信し、
前記タイミング・インディケータから前記特定の時間遅延を決定する、
ことを特徴とする請求項２７記載の媒体。
【発明の詳細な説明】
【技術分野】
【０００１】
本発明は、マルチキャストＳＤＭＡのトレーニング・ポーリングに関する。
【背景技術】
【０００２】
ワイヤレス・データ通信システムは、帯域幅の増加を求める要求に常に置かれており、その問題に対処するために、複数の装置に単一チャンネルを共有させることにより単一基地局と通信できる様々な技術が開発されている。そのような技術の１つは、モバイル装置が基地局から十分に異なった方角に位置している場合、基地局は同じ周波数上で同時に複数のモバイル装置と個別の信号を送受信することができる。基地局からの送信については、異なる信号が空間分離アンテナ（separate spaced-apart antenna）の各々から同時に送信され、結合された送信が方向付けられる、つまり、各モバイル装置用に向けられた信号は、そのモバイル装置の方向に対しては比較的強く、他の方角には比較的弱い。同様の方法で、基地局は、各々の空間分離アンテナを通って複数の独立したモバイル装置からの結合した信号を同時に同じ周波数上で受信し、その受信に方向性があるので、適切な信号処理を施すことにより、複数のアンテナから受信した結合信号を各モバイル装置からの個別信号に分離することができる。
【０００３】
ＩＥＥＥ  ８０２．１１（ＩＥＥＥは電気電子学会の頭文字であり、ニューヨーク州ニューヨーク市パーク・アベニュー３  １７階に所在）のような現在作成途上にある仕様書において、各モバイル装置は、可変長のデータ・ブロックを送信し、次に、基地局がデータ・ブロックを受信したことを示すために基地局からの肯定応答（Acknowledgement）用データ・ブロックの後の予め定めるタイムアウト期間の間待機する。基地局が同じ周波数上で送信しかつ受信する場合、その事実は基地局が同時に送信し受信することを排除してもよく、その結果、肯定応答を送信する前に、すべての着信データ・ブロックが完了するまで基地局は待機する。しかしながら、データ・ブロックが可変長であるので、基地局が別のモバイル装置から長いデータ・ブロックを依然として受信している間、短いデータ・ブロックを送るモバイル装置は肯定応答のタイムアウト（時間切れ）を経験することになる。短いデータ・ブロックに生じる不必要な再送信は、データ通信全体を非効率にさせ、ある状況下ではサービスの中断を引き起こすことになる。
【０００４】
本発明は、下記記述および本発明の実施例を図示するために使用される添付図面を参照することにより理解されるであろう。
【発明の開示】
【０００５】
下記記述では、多くの特定の詳細事項が述べられる。しかしながら、本発明の実施例は、これらの特定の詳細事項がなくても実施できることを理解すべきである。他の実施例では、周知の方法、構造および技術は、この記述の理解を不明瞭にしないために詳細には示されていない
「一実施例」、「実施例」、「実施の例」、「様々な実施例」などの表示は、本発明の実施例が特定の機能、構造または特性を含むが、あらゆる実施例がその特定の機能、構造または特性を必ず含んでいるとは限らないことを示す。さらに、「ある実施例において」なる句の繰り返しの使用は必ずしも同じ実施例を参照するものではない。
【０００６】
次の説明および請求項において、「結合された」、「接続された」なる用語がそれらの派生語と共に使用される。これらの用語は、互いに同義語として意図されていないことに理解しなければならない。むしろ、特定の実施例では、「接続された」は、２またはそれ以上の要素が互いに物理的または電気的な直接の接触にあることを示すために使用されることがある。「結合された」は、２またはそれ以上の要素が物理的または電気的な直接の接触にあるか、または２またはそれ以上の要素が互いに直接の接触にはないが互いに協動して相互作用を及ぼしている状態のいずれかを意味することがある。
【０００７】
ここに使用されるように、別段の定めがない限り、共通の対象を表わす「第１」、「第２」、「第３」などの順序を示す形容詞の使用は、類似の対象の異なる例が引用されていることを単に示すに過ぎず、その対象が一時的にも、空間的に、格付的にも、あるいは他の方法においても、与えられた順序でなければならないことを意図するものではない。
【０００８】
他に特に述べられない限り、次の議論から明らかなように、「処理する」、「演算する」、「計算する」などのような用語を利用する議論は、明細書全体にわたって、コンピュータ、コンピュータ・システムまたは類似の電子計算機装置の動作または処理に関連するものであり、それは電子、量子などの物理量として表わされるデータを物理量として同じように表わされる他のデータへ操作または変換することとして理解される。
【０００９】
同様に、「プロセッサ」なる用語は、任意の装置またはレジスタおよび／またはメモリからの電子データを処理し、その電子データをレジスタおよび／またはメモリに格納できる他の電子データに変形するあらゆる装置または装置の一部に関するものである。「コンピューティング・プラットフォーム」は、１またはそれ以上のプロセッサを含んでいてもよい。
【００１０】
この文書の内容において、用語「ワイヤレス」およびその派生語は、回路、装置、システム、方法、技術、通信チャンネルなどを表し、それは非固体の媒体を経由し変調された電磁放射の使用を通じてデータを通信する。その用語は、関連する装置がいかなる有線をも含まないことを暗示するものではなく、いくつかの実施例において含まれていないだけである。
【００１１】
共通の産業用語に準拠して、「基地局」、「アクセス・ポイント」、および「ＡＰ」なる用語は、複数の他の電子装置とワイヤレスにかつ同時に通信することができる電子装置を記述するために互換的に使用されるものであり、「モバイル装置」および「ＳＴＡ」なる用語は、移動が要件ではないが、移動しても依然として通信する能力を有するこれら複数の他のあらゆる電子装置を表わすために互換的に用いられる。しかしながら、本発明の範囲は、これらの用語が付された装置に制限されるものではない。同様に、「空間分割多重接続」なる用語およびＳＤＭＡは互換的に使用される。ここに使用されるように、これらの用語は、異なる信号が異なるアンテナによって同じ装置から実質的に同時に送信され、その結果その結合した送信信号は同じ周波数上で実質的に異なる方向へ異なる装置に向けて送信される異なる信号となるあらゆる通信技術を、および／または、異なる信号が同じ周波数で複数のアンテナを通して異なる方向の異なる装置から実質的に同時に受信され、かつその異なる信号が適切な処理を通して互いに分離される技術を包含するように意図される。「同じ周波数」なる用語は、ここに使用される場合、帯域幅許容差、ドップラーシフト順応、パラメータ・ドリフトなどによる正確な周波数からの僅かの変分を含んでいてもよい。異なる装置への各送信の少なくとも一部が同時に生じる場合、異なる装置への２またはそれ以上の送信は実質的に同時であると考えられるが、異なる送信が同時に開始しおよび／または終了しなければならないことを暗示するものではない。同様に、異なる装置からの各受信の少なくとも一部が同時に生じる場合、異なる装置からの２またはそれ以上の受信は実質的に同時であると考えられるが、異なる送信が同時に開始しおよび／または終了しなければならないことを暗示するものではない。ＳＤＭＡなる用語に使用される単語における相違は、他の単語によってしばしば使用されることがあり、例えば、「空間の」の代わりに「空間」を、あるいは「分割」の代わりに「ダイバーシティ」を用いることに制限されることはない。本発明の様々な実施例の範囲は、用語のそのような差を包含するものと意図される。
【００１２】
本発明のいくつかの実施例は、異なる時に特定の順に応答するモバイル装置と共に、単一の送信を備えた複数のモバイル装置をポーリングするマルチキャスト信号を使用することがある。
【００１３】
図１は、本発明の実施例に従って、マルチキャスト・トレーニング・キャストを使用する通信ネットワークのダイヤグラムを示す。ポーリングは、信号および／または情報をポーリング装置に返送することにより応答することを求めるアドレス指定された装置に対するリクエストであり、そのトレーニング・ポーリングは信号および/または情報が１つ以上の通信オペレーティング・パラメータを決定するのに適切なフォーマットであることを要求する。ＳＤＭＡベースのネットワークを図示する実施例は、ＡＰからの異なる方向に位置する複数のＳＴＡ１３１−１３４と通信するＡＰ１１０を示す。ＡＰ１１０は４本のアンテナ１２０で示されるが、他の実施例は他の配列（例えば、ＡＰ１１０は２本、３本または４本を超えるアンテナを有してもよい）であってもよい。各ＳＴＡは、ＡＰ１１０とワイヤレスに通信する少なくとも１つのアンテナを有する。いくつかの実施例では、ＳＴＡアンテナは全方向性をもって動作するように適合しているが、他の実施例では、ＳＴＡアンテナは指向性をもって動作するように適合していてもよい。いくつかの実施例では、ＳＴＡは固定位置にあるが、他の実施例では、少なくともいくつかのＳＴＡは通信シーケンス期間中および／または間に移動してもよい。いくつかの実施例では、ＡＰは固定位置にあるが、他の実施例では、ＡＰは通信シーケンス期間中および／または間に移動してもよい。
【００１４】
図２は、本発明の実施例に従って、マルチキャスト・トレーニング・キャストに関する通信シーケンスのタイミング・ダイヤグラムを示す。図示する実施例は、ＳＴＡ１からＳＴＡ５とラベルされた５台のＳＴＡを示すが、本発明の範囲はこの台数に制限されることはない。トレーニング・フェーズを実行するために、ＡＰはトレーニング・グループの各ＳＴＡにポーリングし（例えば、図示する実施例では、トレーニング・グループはＳＴＡ１−ＳＴＡ５から成る）、そのポーリングはトレーニング応答をＡＰへ送り返すように選択された各ＳＴＡに要求し、その結果そのＳＴＡと行なうＳＤＭＡ通信のためのパラメータはＡＰによって決定される。各トレーニング応答は異なる時に生じるが、複数のＳＴＡからのトレーニング応答は互いに干渉しない。図示する実施例では、５台すべての適切なＳＴＡが、トレーニング・ポーリングのためにマルチキャスト送信を使用することにより単一の送信でポーリングされる。マルチキャスト送信は、複数の特定の装置を指定（アドレス）し、共通の送信内容で作用すると期待される。これは、より一般的な単一指定送信（特定の単一装置にアドレス）、あるいは放送（受信できるあらゆる装置に作用するように意図される）と対照的である、いくつかの実施例では、マルチキャスト・トレーニング・キャストは、全方向に送られ、その結果、範囲内のＳＴＡすべてはトレーニング・ポーリングを受信し、アドレスされたもののみがそれに応答するが、本発明はこの点に制限されることはない。その個々のアドレスと共に、各々アドレスされたＳＴＡはそのＳＴＡに向けられたこのタイミング・インディケータを受信し、トレーニング応答で応答する前に特定の時間期間の間待機する。図２Ａで図示する実施例では、個々のタイミング期間は、ＳＴＡ１−ＳＴＡ５に対してｔ１−ｔ５としてそれぞれ示されている。いくつかの実施例では、タイミング・インディケータは、単純なランク付け（例えば１，２，３など）であり、ＳＴＡがどれくらい長く待つべきかを決める時間増分がそれに乗じられるが、他の実施例は他の技術（例えば、インディケータは時間単位で直接表現されてもよい、すなわち各ＳＴＡは、次のより高いランク付けされたＳＴＡが送信前に応答を完了するまで、待機することができ、ｔ１は常に０のような短い固定遅延であってもよい）を利用してもよい。トレーニング応答のための時刻ｔＴは、トレーニング応答開始時刻（ＴＳＴ）とトレーニング応答終了時刻（ＴＥＴ）との間の時間として図２Ａに示される。トレーニング・フェーズが時刻ＴＥＴで終了の後、ＡＰはトレーニング・フェーズで引き出されたパラメータを使用して、データ・フェーズ（図示せず）を開始することができる。
【００１５】
他の実施例では、各ＳＴＡのタイミング・インディケータは既に決定されている。例えば、時間遅延は、前の通信で各ＳＴＡに伝送されてもよいが、本発明の範囲はこの実施例または他の実施例に制限されるものではない。
【００１６】
どのＳＴＡにマルチキャスト・トレーニング・キャストを含めるべきかの決定は、様々な要因で評価される。各ＳＴＡは、以前にＡＰとその関係を確立していることがあり、そのアドレス、ワイヤレス通信モード、可能なデータ・レートなどについての情報を提供している。これらおよび他の要因は、同じマルチキャスト・グループにどのＳＴＡを入れるべきか決める際にＡＰによって評価される。ＡＰが特定のＳＴＡから満足なトレーニング応答を受領しない場合、そのＳＴＡは再度ポーリングする（例えば、別のマルチキャストのトレーニング・グループで）。いくつかの動作では、マルチキャストのトレーニング・フェーズの直後にデータ・フェーズが続くが、他の動作では、異なるセットのＳＴＡや異なるタイプの通信フェーズによって、トレーニング・フェーズに別のトレーニング・フェーズが続いてもよい。データ・フェーズは、先行するトレーニング・フェーズにあったのと同じＳＴＡを関係付けてもよく、あるいは先行するトレーニング・フェーズにあったＳＴＡのうちのいくつか、いずれでもなく、あるいはそのすべてを含む別グループのＳＴＡを関係付けてもよい。
【００１７】
図３は、本発明の実施例に従って、基地局によって実行される動作方法のフローチャートを示す。フローチャート３００では、トレーニング・ポーリング・グループは３１０で形成される。現在利用可能なＳＴＡのどれが特定のトレーニング・ポーリング・グループに関係していることか決めるために様々な基準が使用されてもよい。例えば、現在使用可能なＳＤＭＡパラメータはＳＴＡのうちのいくつかに既知であり、また、これらのＳＴＡはＳＤＭＡパラメータがまだ存在しないか更新される必要のない他のＳＴＡのためにポーリング・グループから除外されてもよい。
【００１８】
どのＳＴＡをグループに含めるべきか決定した後に、３２０で、ＡＰはグループ中の各ＳＴＡに対して異なる時間遅延を割り当てる。これらの時間遅延は、どのような使用可能な形式でもよい、例えば、直接の時間遅延、既知の時間増加量、既知の時間増加量に乗じることができる順序を示すランク付けなど。いくつかの実施例では、時間遅延は、あらゆる２つの時間遅延の間の最小時間がトレーニング応答を送信するモバイル装置に十分となるように決定され、その結果、２つの異なるモバイル装置からの２つの異なるトレーニング応答がオーバーラップすることはない。３３０で、マルチキャスト・トレーニング・キャストは、ポーリングされるＳＴＡのアドレス、ポーリングされるＳＴＡのための時間遅延、およびトレーニング・ポーリングに有用と考えられるあらゆる他の情報を含んで送信される。
【００１９】
ポーリングが送信され、応答期間が開始した後、ＡＰは３４０で第１トレーニング応答を受信する。３５０で、ＡＰは受信トレーニング応答を処理し、後の時間でさらに処理するためにその処理された情報を格納する。この時点で実行された処理の量は変化する（例えば、信号をデジタル化し、それをさらに処理するために格納し、ＳＤＭＡパラメータなどを計算する、など）。
【００２０】
３６０で示されるように、さらに応答が期待される場合、ＡＰは次のトレーニング応答を受信するために３４０へ戻る。３４０，３５０，３６０によって形成されるループは、ポーリング・グループ中のＳＴＡがすべて応答する時間を有するまで継続し、すべてが有したときにトレーニング・フェーズは終了する。ポーリングされたＳＴＡのいずれも応答しない場合、または受信した応答がその意図した目的には使用可能でない場合（例えば、破壊したデータによる）、そのＳＴＡは後の時間に、可能なら別のポーリング・グループ中で再度ポーリングされる。このようなポーリングのための再試行の最大数が設定されてもよいが、本発明の様々な実施例の範囲はこの点に制限されることはない。
【００２１】
図４は、本発明の実施例に従って、モバイル装置によって実行される動作方法のフローチャートを示す。フローチャート４００では、マルチキャスト・トレーニング・キャストが、４１０で、このモバイル装置のアドレスまたは他の識別子を含んで受信される。４２０で、このモバイル装置に関連したタイミング・インディケータが、マルチキャスト・ポーリングから抽出され、その時間遅延がタイミング・インディケータから決定される。４３０で、４２０で決定された時間遅延が終了するまで、モバイル装置は待機する。前述したように、時間遅延はあらゆる実現可能な開始位置から測定される。時間遅延の終了で、モバイル装置は、４４０でそれ自身のトレーニング応答を送信する。
【００２２】
本発明の実施例は、ハードウェア、ファームウェアおよびソフトウェアのいずれかまたはそれらの組合せで実行することができる。本発明の実施例も、機械読取り可能な媒体上に格納された命令で実行され、それはここに記述された動作を行なうためにコンピューティング・プラットフォームによって読み込まれ実行される。機械読取り可能な媒体は、マシン（例えばコンピュータ）によって読取り可能な形式で情報を格納するか送信するためのあらゆるメカニズムを含む。例えば、機械読取り可能な媒体は、リード・オンリ・メモリ（ＲＯＭ）、ランダム・アクセス・メモリ（ＲＡＭ）、磁気ディスク格納媒体、光格納媒体、フラッシュ・メモリ装置、電気的、光学的、音響的、または他の形式の伝播信号（例えば搬送波、赤外線信号、デジタル信号など）および他の形式を含む。
【００２３】
図５は、本発明の実施例に従って、基地局のブロック図を示す。プラットフォーム５５０は、基地局に適した処理を行なうが、１またはそれ以上のプロセッサを含み、いくつかの実施例では、１またはそれ以上のプロセッサの少なくとも１つはデジタル信号プロセサ（ＤＳＰ）である。図示された実施例では、ＡＰ１１０は、４つのアンテナ１２０を装備するが、他の実施例では２、３または４を超えるアンテナを具備していてもよい。各アンテナに対して、基地局１１０は、変復調器５２０、アナログ・デジタル変換器（ＡＤＣ）５３０、および、デジタル・アナロク変換器（ＤＡＣ）５４０を有する。復調器−ＡＤＣの組合せは、アンテナからの受信無線周波数信号をコンピューティング・プラットフォーム５５０によって処理するのに適しているデジタル信号に変換する。同様に、ＤＡＣ−変調器の組合せは、コンピューティング・プラットフォーム５５０からのデジタル信号をアンテナによる送信に適した無線周波数信号に変換する。図示されない他のコンポーネントは、必要な場合は図示されたブロックに含めてもよいが、増幅器、フィルタ、発振器、複数個のＡＤＣおよび／またはＤＡＣ（ここでは１つのみ示されている）に制限されるものではない。
【００２４】
図６は、本発明の実施例に従って、モバイル装置のブロック図を示す。モバイル装置１３１の図示するコンポーネントは、コンピューティング・プラットフォーム６５０、アンテナ６２１、変復調器６２０、ＡＤＣ６３０、および、ＤＡＣ６４０を含み、それらは図５の同様に名づけられたコンポーネントに機能的に類似し、図６の装置は、単一のアンテナ／変復調装置／ＡＤＣ／ＤＡＣの組合せで示され、コンピューティング・プラットフォーム６５０は、基地局ではなくモバイル装置用に既に記述された動作を行なうが、本発明の様々な実施例はこれらの点に制限されるものではない。
【００２５】
上記記述は、説明用に意図されており、制限のためのものではない。変更が当業者によって行なわれてもよい。それらの変更は、本発明の様々な実施例に含まれるように意図され、本発明は添付の請求項の思想および範囲によってのみ制限される。
【図面の簡単な説明】
【００２６】
【図１】本発明の実施例に従って、通信ネットワークのダイヤグラムを示す。
【図２】本発明の実施例に従って、複数のモバイル装置を備えるトレーニング・フェーズのタイミング・ダイヤグラムを示す。
【図３】本発明の実施例に従って、基地局の動作方法のフローチャートを示す。
【図４】本発明の実施例に従って、モバイル装置の動作方法のフローチャートを示す。
【図５】本発明の実施例に従って、基地局のブロック図を示す。
【図６】本発明の実施例に従って、モバイル装置のブロック図を示す。
【図１】
2007502074.tif 000003
【図２】
2007502074.tif 000004
【図３】
2007502074.tif 000005
【図４】
2007502074.tif 000006
【図５】
2007502074.tif 000007
【図６】
2007502074.tif 000008
【国際調査報告】
2007502074.tif 000009
2007502074.tif 000010
2007502074.tif 000011
2007502074.tif 000012